(57)【要約】【課題】飼育ケージからの小動物の糞や床敷材の飛散を抑制し、飼育環境の汚染を抑えつつ、飼育ケージから飛散した小動物の糞や床敷材の消毒、清掃作業のための労力と費用を低減することのできる小動物飼育装置と遮蔽枠を提供する。【解決手段】小動物を飼育する飼育ケージを遮蔽するための遮蔽枠６であって、該遮蔽枠６と、該遮蔽枠６で覆われた飼育ケージ２とで形成される空間の雰囲気を排出するための排気口８有する遮蔽枠。小動物飼育装置は、小動物を飼育する飼育ケージ６と、該飼育ケージ６を載置するための棚板１０を有する飼育ラック４と、該棚板１０上に載置された該飼育ケージ２を遮蔽するための着脱自在な遮蔽枠６とを備え、該遮蔽枠６は、該遮蔽枠６と、該遮蔽枠６により覆われた該飼育ケージ２とで形成される空間の雰囲気を排出するための排気口８を有する。【選択図】図２
2015211662.tif 000002
【特許請求の範囲】
【請求項１】
小動物を飼育する飼育ケージを遮蔽するための遮蔽枠であって、
該遮蔽枠と、該遮蔽枠で覆われた該飼育ケージとで形成される空間の雰囲気を排出するための排気口を有する遮蔽枠。
【請求項２】
前記遮蔽枠は、前記飼育ケージを該遮蔽枠内から取り出すための取出し口を有し、該取出し口は、該遮蔽枠で覆われた該飼育ケージに対して前記排気口と反対側に位置する請求項１に記載の遮蔽枠。
【請求項３】
前記遮蔽枠は、使い捨て可能な材料で構成されている請求項１または２に記載の遮蔽枠。
【請求項４】
前記遮蔽枠は、前記飼育ケージの上方を覆う上面部と、該飼育ケージの側面を覆う側面部と、該飼育ケージの背面を覆う背面部とを有する請求項１〜３のいずれかに記載の遮蔽枠。
【請求項５】
前記遮蔽枠は、該遮蔽枠と、該遮蔽枠で覆われた前記飼育ケージとで形成される空間を流れる空気の流れを該飼育ケージ内に向ける風向板を有する請求項１〜４のいずれかに記載の遮蔽枠。
【請求項６】
小動物を飼育する飼育ケージと、
該飼育ケージを載置するための棚板を有する飼育ラックと、
該棚板上に載置された該飼育ケージを遮蔽する着脱自在な遮蔽枠と
を備え、
該遮蔽枠は、該遮蔽枠と、該遮蔽枠により覆われた該飼育ケージとで形成される空間の雰囲気を排出するための排気口を有する小動物飼育装置。
【請求項７】
前記遮蔽枠は、前記飼育ケージを該遮蔽枠内から取り出すための取出し口を有し、該取出し口は、該遮蔽板で覆われた該飼育ケージに対して前記排気口と反対側に位置する請求項６に記載の小動物飼育装置。
【請求項８】
前記遮蔽枠は、使い捨て可能な材料で構成されている請求項６または７に記載の小動物飼育装置。
【請求項９】
前記遮蔽枠は、前記飼育ケージの上方を覆う上面部と、該飼育ケージの側面を覆う側面部と、該飼育ケージの背面を覆う背面部とを有する請求項６〜８のいずれかに記載の小動物飼育装置。
【請求項１０】
前記遮蔽枠は、該遮蔽枠と、前記遮蔽枠で覆われた前記飼育ケージとで形成される空間を流れる空気の流れを該飼育ケージ側に向ける風向板を有する請求項６〜９のいずれかに記載の小動物飼育装置。
【発明の詳細な説明】
【技術分野】
【０００１】
本発明は、小動物飼育装置および遮蔽枠に関し、特に小動物飼育装置で飼育される小動物の相互感染を防止するための構造、およびこの相互汚染の防止に用いる遮蔽枠に関する。
【背景技術】
【０００２】
従来から、ラット、マウス、モルモット等の小動物の飼育には、複数の小動物を棚に載置する飼育ラックが用いられる。
【０００３】
通常、飼育ラックは複数の棚板を備え、各棚板には複数のケージが並べられている。飼育ラックは飼育室に設置され、ケージは、通常、内部が飼育室内の雰囲気に晒される箱型の非気密型に作られている。
【０００４】
このような飼育ラックによる飼育では、あるケージ内の小動物が持っている病原菌に他のケージ内の小動物が感染するという問題がある。
【０００５】
小動物を飼育するケージ内には、木製や紙製の床敷材が敷かれている。小動物は飼育中にその汚れた床敷材や糞をケージの外側に押し出す習性がある。押し出された床敷材が飼育室内での気流によってケージの周囲に飛散し、飼育環境が汚染され、小動物が日和見菌に感染して発症することがある。
【０００６】
飼育環境が汚染されると、小動物間で相互感染が生じ、研究対象である小動物の遺伝子が汚染されているか否かを個別に調べなければならない。その場合、小動物のモニタリング、例えば、特定のケージ内の小動物が飼育環境内で汚染されているか否かを判定するためだけに監視する作業も必要となる。
【０００７】
また、ＩＰＳ細胞，ＳＴＡＰ細胞などの研究をはじめとする種々の研究のために、実験用に何百万匹の小動物が飼育されているが、研究者には、通常細胞の遺伝子の情報などの実験結果が重要なのであって、小動物の飼育環境の汚染には関心がない。
【０００８】
現状では、飼育ラック内での飼育環境の汚染防止は、飼育ラック内に飛散した小動物の糞や床敷材を消毒、清掃することで行っているが、そのために多大な労力と費用を費やしている。
【０００９】
ところで、従来から、このような飼育ラック内の飼育環境の汚染対策として、飼育ラックの個々のケージ内の雰囲気を独立して外部に排出させている。
【００１０】
特開昭６３−９４９３０号公報（特許文献１）の小動物飼育用ラックは、その背面側に排気チャンバーを有する。排気チャンバーとラックのケージとは、通気孔を有する背面板を介して密着配置されている。従って、ケージ内の空気は、この背面板の通気孔を通して排気チャンバーに吸入され排気チャンバーから排気ダクトを経て動物飼育室の外部に排出される。
【００１１】
特開平８−２２８６２３号公報（特許文献２）の動物飼育ラックは、空気の排気通路がケージの上側に位置し、ケージ内の空気は排気通路からラック外部に排気される。
【先行技術文献】
【特許文献】
【００１２】
【特許文献１】特開昭６３−９４９３０号公報
【特許文献２】特開平８−２２８６２３号公報
【発明の概要】
【発明が解決しようとする課題】
【００１３】
ところが、特許文献１および２のラックにおいても、ケージの周囲には小動物の糞や床敷材などが飛散し飼育環境は汚染する。しかもラック内部の糞や床敷材などが付着した部分の清掃作業に多くの労力が必要となる。
【００１４】
本発明は上記課題を解決するためになされたもので、飼育ラック内のケージを着脱自在な遮蔽枠で覆うことにより、ケージからの糞や床敷材の飛散を抑制することができ、飼育環境の汚染が抑えられ、しかもケージを遮蔽枠で覆うことで糞や床敷材がラックの棚板上や内壁などに付着することを抑制し、糞や床敷材の消毒、清掃作業のための労力と費用を低減することができる小動物飼育装置、および飼育ケージを覆う遮蔽枠を提供することを目的とする。
【課題を解決するための手段】
【００１５】
上記課題を解決するため、本発明は以下を特徴とする。
【００１６】
本発明の遮蔽枠は、小動物を飼育する飼育ケージを遮蔽するための遮蔽枠であって、該遮蔽枠と、該遮蔽枠で覆われた該飼育ケージと該遮蔽枠とで形成される空間の雰囲気を排出するための排気口を有し、そのことにより上記目的が達成される。
【００１７】
好ましい実施形態では、前記遮蔽枠は、前記飼育ケージを該前記遮蔽枠内から取り出すための取出し口を該遮蔽枠の一方側に有し、該取出し口は、該遮蔽枠で覆われた該飼育ケージに対して前記排気口と反対側に位置する、を該遮蔽枠の他方側に有する。
【００１８】
さらに好ましい実施形態では、前記遮蔽枠は、使い捨て可能な材料で構成されている。
【００１９】
さらに好ましい実施形態では、前記遮蔽枠は、前記飼育ケージの上方を覆う上面部と、該飼育ケージの側面を覆う側面部と、該飼育ケージの底面を覆う底面部と、該飼育ケージの背面を覆う背面部とを有する。
【００２０】
さらに好ましい実施形態では、前記遮蔽枠は、該遮蔽枠と、該遮蔽枠で覆われた前記飼育ケージと該遮蔽枠とで形成される空間を流れる空気の流れを該飼育ケージ内に向ける風向板を有する。
【００２１】
本発明の小動物飼育装置は、小動物を飼育する飼育ケージと、該飼育ケージを載置するための棚板を有する飼育ラックと、該棚板上に載置された該飼育ケージを遮蔽する着脱自在な遮蔽枠とを備え、該遮蔽枠は、該遮蔽枠と、該遮蔽枠により覆われた該飼育ケージと該遮蔽枠とで形成される空間の雰囲気を排出するための排気口を有する。
【００２２】
好ましい実施形態では、前記遮蔽枠は、前記飼育ケージを該前記遮蔽枠内から取り出すための取出し口を該遮蔽枠の一方側に有し、該取出し口は、該遮蔽板で覆われた該飼育ケージに対して前記排気口と反対側に位置する。
【００２３】
さらに好ましい実施形態では、前記遮蔽枠は、使い捨て可能な材料で構成されている。
【００２４】
さらに好ましい実施形態では、前記遮蔽枠は、前記飼育ケージの上方を覆う上面部と、該飼育ケージの側面を覆う側面部と、該飼育ケージの底面を覆う底面部と、該飼育ケージの背面を覆う背面部とを有する。
【００２５】
さらに好ましい実施形態では、前記遮蔽枠は、該遮蔽枠と、前記遮蔽枠で覆われた前記飼育ケージと該遮蔽枠とで形成される空間を流れる空気の流れを該飼育ケージ側に向ける風向板を有する。
【発明の効果】
【００２６】
本発明によれば、ケージを覆う遮蔽枠にケージ内の雰囲気を排出するための排気口が形成されているので、ケージ内の雰囲気を他のケージや飼育室内に広がらないように排出することができる。しかも、遮蔽枠によって個々のケージから小動物の糞や床敷材が広い範囲に飛散するのを防止することができる。これによりケージを含む飼育ラック内の飼育環境をより清浄に保ち、飼育環境の汚染を低減することができる。その結果、ラック内の小動物の他からの汚染を抑制することができる。
【００２７】
本発明によれば、ケージを遮蔽枠で覆うことにより、ケージから飛散する小動物の糞や床敷材は遮蔽枠の外側には広がらないので、糞や床敷材がラックの棚板上や内壁などに付着することはほとんどなくなる。従って、ラック内で飛散した小動物の糞や床敷材を消毒、清掃などの作業に要する労力や費用が著しく軽減される。
【００２８】
本発明によれば、遮蔽枠によりケージを覆うことで、飼育ラック内の飼育環境の汚染を防止し、糞や床敷材を消毒、清掃作業を軽減しているので、従来のケージおよびラックの構造を変更する必要はない。従って、小動物飼育装置の構成変更にかかるコストを低く抑えることができる。
【図面の簡単な説明】
【００２９】
【図１】図１は、本発明の実施形態１による小動物飼育装置を説明する概略正面図であり、小動物飼育装置の全体構成を示している。
【図２】図２は、図１に示す小動物飼育装置の要部を拡大して示す正面図である。
【図３】図３は、図１に示す小動物飼育装置の要部を拡大して示す断面図である。
【図４】図４（ａ）は、図１に示す小動物飼育装置で用いる遮蔽枠を示す斜視図、図４（ｂ）は、図４（ａ）に示す遮蔽枠の変形例を示す斜視図である。
【図５】図５は、本発明の実施形態１を説明する図であり、図４（ａ）で示す実施形態１の遮蔽枠で飼育ケージを覆った状態の斜視図である。
【図６】図６は、本発明の実施形態２による小動物飼育装置で用いる遮蔽枠を説明する図であり、図６（ａ）は、飼育ケージの長手方向に平行な縦断面図、図６（ｂ）は飼育ケージの長手方向に垂直な縦断面図である。
【図７】図７は、本発明の実施形態３による小動物飼育装置を説明する前面側からの斜視図であり、飼育ラック内に遮蔽枠を配置した状態を示している。
【図８】図８は、図７で示す小動物飼育装置の背面側からの斜視図である。
【図９】図９は、本発明の実施形態３による小動物飼育装置を説明する側面断面図であり、飼育ケージを遮蔽枠で覆った状態を示している。
【図１０】図１０は、本発明の実施形態３による紙製の遮蔽枠を説明するもので、図１０（ａ）、図１０（ｂ）、図１０（ｃ）、図１０（ｄ）、図１０（ｅ）、および図１０（ｆ）は、それぞれ遮蔽枠の斜視図、遮蔽枠の平面図、遮蔽枠の概略断面図、壁体の平面図、遮蔽枠の要部の内側からの斜視図、遮蔽枠の要部の断面図である。
【図１１】図１１は、本発明の実施形態４による小動物飼育装置の要部を示す縦断面図である。
【図１２】図１２は、本発明の実施形態５による小動物飼育装置を示す斜視図である。
【図１３】図１３は図１２の小動物飼育装置に使用する棚板の斜視図である。
【図１４】図１４は、本発明の実施形態５による小動物飼育装置に使用する遮蔽枠を説明するであり、図１４（ａ）および図１４（ｂ）は、それぞれ遮蔽枠の後ろ側からの斜視図、遮蔽枠の概略断面図である。
【図１５】図１５は図１４の遮蔽枠を構成する筒体を説明する図であり、図１５（ａ）および図１５（ｂ）は、それぞれ筒体の斜視図および概略断面図である。
【図１６】図１６は、図１５（ａ）の筒体を作成するための板紙を説明する図であり、図１６（ａ）および図１６（ｂ）は、それぞれ板紙の平面図、および図１６（ａ）のＡ部の拡大平面図である。
【図１７】図１７は、図１４の遮蔽枠の壁体の展開図である。
【図１８】図１８は、図１４の遮蔽枠を組み立てる方法の説明図である。
【図１９】図１９は、図１４の遮蔽枠を組み立てる方法の説明図である。
【図２０】図２０は、図１４の遮蔽枠を組み立てる方法の説明図である。
【図２１】図２１は、図１４の遮蔽枠の要部斜視図である。
【図２２】図２２は、本発明の実施形態６による小動物飼育装置に使用する遮蔽枠を排気管に接続する構造を説明する図であり、図２２（ａ）および図２２（ｂ）はそれぞれ接続構造の分解斜視図および概略断面図である。
【図２３】図２３は、本発明の実施形態７による小動物飼育装置に使用する遮蔽枠を説明する図であり、図２３（ａ）および図２３（ｂ）はそれぞれ遮蔽枠の斜視図および概略断面図である。
【発明を実施するための形態】
【００３０】
以下、本発明の実施の形態について図面を参照しながら詳細に説明する。
（実施形態１）
図１〜図３に本発明の実施形態１を示す。
【００３１】
本発明の実施形態１による小動物飼育装置１は、図１に示すように、ラット、マウス、モルモット等の小動物を飼育するための飼育ケージ（以下、単にケージともいう。）２と、ケージ２を載置するための棚板１０を有する飼育ラック４と、ケージ２を遮蔽する着脱自在な遮蔽枠６とを備えている。
（飼育ラック４）
実施形態１では、図１に示すように、飼育ラック４は左右一対の枠体４０、４０と、左右一対の枠体４０、４０の間に複数段の棚が形成されるように取り付けられた複数の棚板１０と、左右一対の枠体４０、４０の上端部間に取り付けられた天板４１とを有する。各棚板１０の上には、複数の飼育ケージ２を配置するためのケージ配置スペース４２が形成されている。ケージ配置スペース４２の前面側からケージ２を棚板１０の上に配置し、あるいは棚板１０から取り出すことができる。
（飼育ケージ２）
飼育ケージ２には、従来の非気密型のものを使用することができる。例えば、図２および図３に示すように、飼育ケージ２は、箱型形状を有し上面が開口したケージ本体（以下、単に本体ともいう。）２０と、本体２０の上面の開口部分に装着される通気性を有するケージ蓋（以下、単に蓋ともいう。）２２と、を有する。本体２０の内部には小動物を収容する収容空間２４が形成されている。
【００３２】
本体２０の材質は問わない。本体２０は、例えばポリカーボネート樹脂、ポリエステル樹脂などの透明な合成樹脂で形成することができる。
【００３３】
蓋２２は本体２０の上面の開口部分に装着されるように構成されている。蓋２２は、本体２０内の通気を確保すると同時に、本体２０内に収容された小動物が本体２０内から外部へ逃げるのを防止するものであれば、どのような材質、形状のものでもよい。蓋２２は、例えば合成樹脂製または金属製の網などで形成することができる。
【００３４】
蓋２２には公知の給水装置１２を取り付けることができる。給水装置１２は、例えばポリエステルなどの合成樹脂、ガラス瓶などで作成された給水ボトルを備えることができる。
【００３５】
さらに、飼育ケージ２の蓋２２あるいは本体２０に、公知の給餌装置を設けることもできる。給餌装置は蓋２２のどの位置に配置してもよく、本体２０内に設置してもよい。この実施形態では、金網で形成した蓋２２に給餌装置が設けられる。
（吸引パネル５０）
この実施形態１では、図３に示すように、飼育ラック４の、ケージ２を出し入れする前面側（図３の左側）とは反対側の背面側（図３の右側）に、吸引パネル５０が配置されている。吸引パネル５０は、飼育ラック４の背面側に配置される内面板５０ａと、内面板５０ａに対して飼育ラック４とは反対側に配置される外面板５０ｂとを有する。ここで、内面板５０ａと外面板５０ｂとの間隙の空間４７は、図１に示す排気管５５を介して排気ファン（排気装置）４６に接続されており、排気ファン４６による吸引により負圧となる。この空間４７は排気チャンバーを構成する。内面板５０ａは多数のパンチ孔が形成されたパンチングボードなどで構成されており、パンチ孔は排気チャンバー４７内への空気の流入孔３８として機能する。
【００３６】
排気ファン４６を駆動させて排気チャンバー４７内の空気圧を負圧にすると、内面板５０ａの流入孔３８に流入する空気流が発生する。この空気流によって遮蔽枠６の排気口８と吸引パネル５０との間の領域も負圧となる。これにより、ケージ２と遮蔽枠６とで形成される空間の雰囲気は、排気口８からフィルター９を通って遮蔽枠６の外部へ流れ出し、さらに吸引パネル５０の内面板５０ａの流入孔３８から吸気パネル５０ａ内に流入し、排気チャンバー４７を通って外部へ排出される。
（遮蔽枠６）
遮蔽枠６は、図４（ａ）に示すように、ケージ２を収容可能な略箱型に構成され、その前面にケージ２を出し入れ自在とする取出し口１５が形成されている。
【００３７】
具体的には、遮蔽枠６は、ケージ２の上面を覆う矩形状の上面部３０と、ケージ２の一対の側面を覆う一対の矩形状の側面部３２、３２と、ケージ２の背面を覆う矩形状の背面部３４と、ケージ２の底面の全面を覆う底面部３６と、を有する。
【００３８】
なお、この実施形態１では、遮蔽枠６は、ケージ２の底面の全面を覆う底面部３６を有するが、この底面部３６は必須というわけではない。遮蔽枠６は、図４（ｂ）に示すように、ケージ２の底面の全面を覆う底面部３６に代えて、両側面部３２、３２および背面部３４の下端から内側に向けて所定寸法だけ延出された帯状の底面部３６ａを有してもよい。
【００３９】
遮蔽枠６は、板紙、段ボール、プラスチック板あるいは薄い金属板などで形成することができるが、使い捨て可能な板紙、段ボールなど紙製の材料で形成してもよい。
【００４０】
遮蔽枠６の排気口８の位置および個数は限定されるものではないが、この実施形態１では、１つの排気口８が遮蔽枠６の背面部３４に形成されている。また、排気口８にはフィルターを取り付けることにより環境汚染をより低減することができる。
【００４１】
次に、本実施形態１の小動物飼育装置１の使用方法の一例を説明する。
【００４２】
ケージ２の本体２０内に小動物を入れ、本体２０に蓋２２を被せる。図１〜図３、図５に示すように、このケージ２を遮蔽枠６内に配置することにより、ケージ２は遮蔽枠６により遮蔽される。
【００４３】
ケージ２を遮蔽枠６内に配置した状態のまま、遮蔽枠６を飼育ラック４の棚板１０上に、遮蔽枠６の排気口８が吸引パネル５０に対向するように配置する。この状態で排気ファン４６を作動させると、吸引パネル５０の内側板５０ａの流入孔３８に流入する空気流が発生する。このような空気流が発生すると、吸引パネル５０の内側板５０ａと遮蔽板６との間の領域が負圧になり、遮蔽枠６内の空気が前方の取出し口１５から後方の排気口８に向かって流れる。これにより、飼育室内の空気が、遮蔽枠６の前面側の取出し口１５から遮蔽枠６内へ引き込まれ、ケージ２内を通り排気チャンバー４７を介して排気装置４６により外部へ排出される。
【００４４】
本実施形態１の作用効果について説明する。
【００４５】
図１〜図３に示すように、複数のケージ２が飼育ラック４の各棚板１０上に横方向に並べて配置される。各ケージ２が遮蔽枠６内に配置され、ケージ２の上面、両側面、底面および背面がそれぞれ遮蔽枠６の上面部３０、側面部３２、底面部３６および背面部３４によって覆われる。ケージ２の前面側は遮蔽枠６で覆われない。
【００４６】
このように複数のケージ２の各々を遮蔽枠６内に配置することにより、各ケージ２はその前面側を除いて遮蔽枠６により覆われる。
【００４７】
ケージ２を遮蔽枠６内に配置すると、図２および図３に示すように、ケージ２と遮蔽枠６との間には空気が流通可能な空気流通路１６が形成される。
【００４８】
このようにケージ２を遮蔽枠６内に配置し、排気ファン４６を作動させて吸引パネル５０の排気チャンバー４７内を負圧にすると、吸引パネル５０の内面板５０ａの流入孔３８に遮蔽枠６の背面部３４と吸引パネル５０との間の空気が吸入される。これにより遮蔽枠６の背面部３４と吸引パネル５０との間は負圧となり、遮蔽枠６内の空気は排気口８を通って遮蔽枠６の背面部３４と吸引パネル５０との間に排出される。遮蔽枠６内では、遮蔽枠６の前面の取出し口１５から空気流通路１６を通って排気口８に向かう空気流が発生する。このため、ケージ２内の空気は遮蔽枠６の外側に拡散することがない。
【００４９】
小動物がケージ２内の床敷材を外部に撒き散らしても、床敷材の飛散は遮蔽枠６の内側にとどまるため、遮蔽枠６の外側へ床敷材が拡散することはない。
【００５０】
ケージ２内へは飼育室内の新鮮な空気がケージ２の前面側から後方に向けて流れる。よって、ケージ２内の汚染された空気が作業室へ拡散することもない。
【００５１】
遮蔽枠６に床敷材やほこりなどが付着した場合には、その遮蔽枠６内からケージ２を取り出して、ケージ２を新しい遮蔽枠６内に配置すればよい。使い古した遮蔽枠６は焼却あるいは廃棄すればよい。
【００５２】
このように実施形態１では、遮蔽枠６により飼育ケージ２からの小動物の糞や床敷材の飛散を抑制することができ、飼育環境の汚染を抑えつつ、飼育ケージ２から飛散した小動物の糞や床敷材の消毒、清掃作業のための労力と費用を低減することができる。
（実施形態２）
なお、上記実施形態１では、図３に示すように、遮蔽枠６の上面部３０の裏面を平坦面としているが、図６（ａ）および図６（ｂ）に示すように、遮蔽枠６の上面部３０の裏面に該上面部３０の前端近傍に位置するように空気流の風向板１８を設けると、ケージ２の上面と遮蔽枠６の上面部３０との間に形成される空気流通路１６を流れる空気の流れをケージ２の内部へ向けることができる。この風向板１８は、遮蔽枠６と同じ材質、例えば、板紙、段ボール、薄いプラスチック板などで形成することができる。その取り付けは遮蔽枠６の上面部３０の下面に接着テープや接着剤などで行うことができる。
【００５３】
風向板１８は、空気流通路１６での空気流の下流側ほどケージ２側に近づくようにやや傾斜させて遮蔽枠６に取り付けるのもよい。遮蔽枠６の前方から後方に向けて流れる空気をこの風向板１８によってケージ２側へ誘導し、金網などで構成される蓋２２を通してケージ２内へ送り込むことができる。これによってケージ２内の空気の換気を良くすることができる。
【００５４】
上記実施形態１では、排気口８を遮蔽枠６の背面部３４に形成したが、排気口８を遮蔽枠６の上面部３０あるいは側面部３２に形成してもよい。
（実施形態３）
図７〜図１０に実施形態３を示す。
【００５５】
図７は実施形態３の飼育ラック４ａ内に遮蔽枠６ａを装着した状態の前面側斜視図であり、図８は飼育ラック４ａの背面側斜視図である。
【００５６】
この実施形態３の小動物飼育装置１ａは、実施形態１の飼育ラック４および遮蔽枠６に代わる飼育ラック４ａおよび遮蔽枠６ａを備えたものであり、その他の構成は、実施形態１におけるものと同一である。
【００５７】
ここで飼育ラック４ａは、略箱状に構成されており、遮蔽枠６ａは、この飼育ラック４ａ内にスライドさせて出し入れ可能に構成されている。また、ここで、遮蔽枠６ａは紙材などで容易に作製できるようにされている。
【００５８】
飼育ラック４ａおよび遮蔽枠６ａの詳細な構成は次のとおりである。
【００５９】
図７および図９に示すように、ラック４ａは、前面側が開口するよう略箱状に構成されたラック本体５６を有する。ラック本体５６の奥側に吸引パネル５１が配置されている。実施形態１と同様に、この吸引パネル５１は内面板５１ａと外面板５１ｂとを有する。内面板５１ａはラック本体５６の奥側の壁面を構成している。内面板５１ａと外面板５１ｂとの間に排気チャンバー４７ａが形成されている。内面板５１ａには複数の空気流入孔３８ａが形成されている。ラック本体５６の上面壁５９に、排気チャンバー４７ａに連通する通気孔５７が形成されている。
【００６０】
図１０（ａ）に遮蔽枠６ａの斜視図を示し、図１０（ｂ）および図１０（ｃ）にそれぞれ遮蔽枠６ａの平面図および概略断面図を示す。
【００６１】
遮蔽枠６ａは、実施形態１と同様に、ケージ２を収容可能なように箱型に構成され、その前面にケージ２を出し入れ自在とする取出し口１５ａが形成されている。
【００６２】
遮蔽枠６ａは、ケージ２の上面を覆う矩形状の上面部３０ａと、ケージ２の一対の側面を覆う一対の矩形状の側面部３２ａ、３２ａと、ケージ２の背面を覆う矩形状の背面部３４ａと、ケージ２の底面の全面を覆うよう上面部３０ａと同一の矩形形状とした底面部３６ａと、を有する。上面部３０ａ、側面部３２ａおよび底面部３６ａの奥側の端部は、背面部３４ａの取り付け位置よりもそれぞれ奥側に延出されている。遮蔽枠６ａの背面部３４ａには排気口８ａが形成されている。
【００６３】
図９に示すように、この遮蔽枠６ａを飼育ラック４ａ内に装着すると、遮蔽枠６ａの奥側端部が吸引パネル５１の内面板５１ａに当たるために、遮蔽枠６ａの背面部３４ａと内面パネル５１ａとの間に空気溜め部６０が形成される。
【００６４】
従って、排気ファンを作動させると、排気チャンバー４７ａ内の空気が吸引されるため、遮蔽枠６ａ内の空気は図９の矢印で示すように排気口８ａから空気溜め部６０内に一旦吸引され、次いで吸引パネル５１の内側板５１ａの各流入孔３８ａを通り排気チャンバー４７ａから外部へ排出される。
【００６５】
このように遮蔽枠６ａと吸引パネル５１との間に空気溜め部６０を設けることにより、吸引パネル５１の内面板５１ａに設けた複数の流入孔３８ａ、３８ａを通して空気溜め部６０内の空気を効果的に排出することができる。
【００６６】
次に、この実施形態３の遮蔽枠６ａの作製方法の一例を説明する。
【００６７】
図１０（ａ）に示すように、遮蔽枠６ａは、四角筒状の筒体６２と、この筒体６２の内部に取り付けられ遮蔽枠６ａの背面部３４ａを構成する壁体６３と、を有する。筒体６２と壁体６３は、それぞれ紙製の板材を切断し、および折り曲げて形成することができる。
【００６８】
図１０（ｂ）に示すように、筒体６２の奥側の端部において、筒体６２の端部の角に一対の平行な切込み６４，６４が設けられ、この一対の切込み６４，６４によって挟まれる部分が角片６５となっている。角片６５を筒体６２の外側から内側へ押し込むことにより、図１０（ｅ）および図１０（ｆ）に示すように角片６５を筒体６２の内側に突き出すように凹ませることができる。
【００６９】
壁体６３は、図１０（ｄ）に示すように、長方形形状の中央板材６６と、中央板材６６の周囲の４辺からそれぞれ折り曲げ可能に外側に延出された帯片６７と、を有する。各帯片６７の両端部には連結片６８、６８が形成されている。各連結片６８の中央には切欠部６９が形成されている。４つの帯片６７を中央板材６６の平面に対して直角方向に折り返し帯片６７の連結片６８、６８同士を接合することにより、接合する一対の連結片６８、６８の両切欠部６９、６９によって係合孔７０が形成される。
【００７０】
壁体６３を筒体６２へ取り付ける方法を以下に示す。
【００７１】
図１０（ｃ）に示すように、壁体６３の帯片６７を折り曲げた状態で、壁体６３を筒体６２の奥側の端部内に挿入し、その壁体６３の係合孔７０の位置を筒体６２の角片６５の位置に合わせる（この状態では、角片６５は筒体６２内に押し込まれていない。）。次に、角片６５を外側から指で押さえて筒体６２の内側へ突き出すように押し込むことにより、この角片６５を壁体６３の係合孔７０内に嵌入させる（図１０（ｃ）、図１０（ｅ）および図１０（ｆ））。角片６５が係合孔７０内に嵌入することによって壁体６３は筒体６２内に固定される。
【００７２】
このように遮蔽枠６ａを、上記構成の筒体６２と壁体６３とを組み合わせて作製することにより、遮蔽枠６ａを非常に簡単でしかも安価に作製することができる。しかも、筒体６２および壁体６３は分離可能で、また筒体６２は折り畳むことができ、壁体６３は図１０（ｄ）に示したように展開することができるので、これらの部材を多数積み重ねてスペースを小さくした状態で保管および搬送することができる。また、筒体６２および壁体６３は使用前および/または使用後の廃棄前に殺菌するが、これらの部材を殺菌（例えば、電子線照射による殺菌）する場合でもこれらを平板状にすることにより、殺菌を小スペースの殺菌装置内で実施できるので、大型の殺菌設備は不要であり、殺菌設備も経済的なものとできる。
【００７３】
次に、遮蔽枠６内に風向板１８ａを取り付ける方法を示す。
【００７４】
図１０（ａ）〜図１０（ｃ）に示すように、遮蔽枠６ａの上面部３０ａの両側部に一対のスリット７１を対向するように形成する。風向板１８ａを遮蔽枠６ａの上面部３０ａの下面に接するように配置し、風向板１８ａの両端部から延設された一対の取付片１９を一対のスリット７１内に差し込むことで、風向板１８ａを遮蔽枠６ａの上面部３０ａの下面側に取り付けることができる。
（実施形態４）
図１１に実施形態４を示す。
【００７５】
この実施形態４の小動物飼育装置は、実施形態１の小動物飼育装置において、図３の吸引パネル５０に代わる排気ダクト５３を備えたものである。ここで、排気ダクト５３は、飼育ラック４の後ろ側に配設され、図１に示す排気管５５により排気装置４６に接続される。遮蔽枠６の排気口８には、排気ダクト５３の空気吸入口５４に排気口８を連結するためのソケット８ｂが取り付けられている。ソケット８ｂにはフィルター９が取り付けられてもよい。この実施形態４のその他の構成は実施形態１と同一である。
【００７６】
このような構成の実施形態４の小動物飼育装置においても、排気ファン４６を駆動させることにより、排気ダクト５３内の空気が吸引されるので、遮蔽枠６内の空気が排気ダクト５３を介して外部に排出される。
【００７７】
これにより、この実施形態４においても、実施形態１と同様に、遮蔽枠６により飼育ケージ２からの小動物の糞や床敷材の飛散を抑制することができ、飼育環境の汚染を抑えつつ、飼育ケージ２から飛散した小動物の糞や床敷材の消毒、清掃作業のための労力と費用を低減することができる。
【００７８】
ところで、小動物を用いた実験プロセスには、実験の所期の目的を達成するための飼育ラックや飼育ケージなどの飼育器材が必要であるだけでなく、飼育器材の使用後の処分も必要である。
【００７９】
例えば、非常に危険な病原菌に感染した小動物の飼育に用いられた飼育器材の処分には、使用後の飼育器材からの２次感染を確実に防止する方法が用いられる。
【００８０】
飼育器材が樹脂製である場合、飼育器材の処分には飼育器材を焼却する方法が用いられるが、この方法では、焼却時のダイオキシンの発生が大気汚染につながる。また、金属製の飼育器材の処分には、細かく切断して地中に埋めるといった方法が用いられるが、この方法では手間と経費がかかる。
【００８１】
そこで、以下の実施形態５では、上記のような実験プロセスを視野に入れたトータルエコロジーの観点から小動物飼育装置を実現している。
（実施形態５）
図１２〜図２１に実施形態５を示す。
【００８２】
実施形態５の小動物飼育装置２００は、図１２に示すように、ラット、マウス、モルモット等の小動物を飼育するための飼育ケージ２と、ケージ２を載置するための棚板２１０を有する飼育ラック１０４と、ケージ２を遮蔽する着脱自在な遮蔽枠１０６とを備えている。この実施形態５のケージ２は、実施形態１のものと同一であり、この実施形態５の飼育ラック１０４の背面側には、実施形態１の吸引パネル５０と同様な吸引パネル２５０が配置されている。吸引パネル２５０は実施形態１と同様に、通気孔（図示せず）を多数有し、排気ダクトを介して排気ファンなどの排気装置に接続されている。
【００８３】
この実施形態５では、飼育ラック１０４が紙製の部材で構成されている。飼育ラック１０４の棚板２１０上に載置される遮蔽枠１０６も紙製の部材で構成されている。なお、実施形態５では、吸引パネル２５０やこれを排気装置に接続する排気ダクトは実施形態１のものと同一のものとしているが、吸引パネル２５０や排気ダクトも紙製の部材で構成してもよい。
【００８４】
飼育ラック１０４は、図１２に示すように複数本の支柱７３と、前側の左右一対の支柱７３、７３の上端部間に架設された前側上フレーム材７４ａと、前側の一対の支柱７３、７３の下端部間に架設された前側下フレーム材７４ｂと、後側の左右一対の支柱７３、７３の上端部間に架設された後側上フレーム材７５ａと、後側の左右一対の支柱７３、７３の下端部間に架設された後側下フレーム材（図示せず）と、対向する前後一対の支柱７３間に架設された複数の横桟７６と、を有する。前側上フレーム７４ａと後側上フレーム７５ａとの間には上部補強材７７が架設されている。
【００８５】
これらの支柱７３、フレーム材７４ａ、７４ｂおよび７５ａ、並びに補強材７７および横桟７６は、比較的剛性のある紙材で構成することが望ましい。
【００８６】
ラック１０４の左右の横桟７６、７６上には棚板２１０が架設されている。この棚板２１０は、図１３に示すように、板材２１３と、板材２１３の前側端部および後側端部からそれぞれ下方へ突出するように形成された補強用フランジ２１４と、を有する。
【００８７】
ここで、棚板２１０をラック１０４の左右の横桟７６の上に載置しているのは、遮蔽枠１０６を飼育ラック１０４の前面から飼育ラック１０４の棚２１０上に出し入れするためのスペースを広く確保するためである。
【００８８】
具体的には、左右の支柱７３間に横桟を架け渡し、この横桟上に棚板を載置すると、横桟の高さ方向の寸法分だけ、遮蔽枠１０６を飼育ラック１０４の棚上に出し入れするためのスペースが少なくなる。これに対し、実施形態５のように、棚板２１０をラック１０４の左右の横桟７６の上に載置することにより、ラック１０４の前面に横桟を設ける必要がなくなり、上下に配置された棚板２１０、２１０間のスペースが横桟により狭くなるのを回避できる。
【００８９】
なお、この実施形態５では、図１２に示すように、棚板２１０上で隣接する遮蔽枠１０６は若干隙間を開けて配置されているが、隣接する遮蔽枠１０６同士は密着させて配置してもよい。
【００９０】
また、実施形態５では、飼育ラック１０４内には３段の棚が形成されるように３つの棚板２１０が配置され、各棚板２１０上にはケージ２を覆う遮蔽枠が４列並べて配置されているが、棚板２１０の段数およびケージ２の配置数は何ら制限されない。例えば、飼育ラック１０４は、棚の段数を６段とし、棚板２１０上にケージ２を６列配置可能な構成としてもよい。
【００９１】
以下、紙材で構成した遮蔽枠１０６の構造について詳しく説明する
図１４（a）は遮蔽枠１０６の背面側から見た斜視図を示し、図１４（ｂ）は遮蔽枠１０６の縦断面図を示す。
【００９２】
遮蔽枠１０６は、図１４（ａ）および図１４（ｂ）に示すように、実施形態４と同様に筒体１００と壁体１０７とを有し、これらの部材を組み合わせて構成されるものである。筒体１００は、ケージ２の上面を覆う矩形状の上面部１３０と、ケージ２の一対の側面を覆う一対の矩形状の側面部１３２、１３２と、ケージ２の底面を覆う底面部１３６と、を有する。筒体１００に取り付けられた壁体１０７は、遮蔽枠１０６の背面部１３４を形成しており、ケージ２の背面を覆っている。筒体１００の他方の開口部分は、遮蔽枠１０６にケージ２を出し入れするための取出し口１０８となっている。ただし、実施形態５の遮蔽枠１０６は、実施形態４のものとは異なり、筒体１００に対して壁体１０７を取り付ける構造が異なり、遮蔽枠１０６は、筒体１００の一方の開口部分に壁体１０７を、筒体１００と壁体１０７との気密性がより高くなるように取り付けることにより、ケージ２を収容可能なように箱型に構成されている。
【００９３】
筒体１００について詳しく説明する。
【００９４】
筒体１００の奥側の端部（図１５（ａ）の左側）において、筒体１００の側面部１３２の端部から外へ延びるように側面取付片８２が形成され、筒体１００の上面部１３０の端部から外へ延びるように上面取付片８３が形成され、筒体１００の底面部１３６から外へ延びるように底面取付片８４が形成されている。
【００９５】
側面取付片８２の外端から外へ延びるように耳片８２aが形成され、側面取付片８２と耳片８２aとの境界部分にはその上端側およびその下端側から切り込まれたスリット８６がそれぞれ形成されている。さらに、側面取付片８２の上端縁および下端縁にそれぞれ係合突出部８７が形成されている。
【００９６】
上面取付片８３の外端から外へ延びるように耳片８３aが形成され、また上面取付片８３の両端縁に係合凹部８８が形成されている。底面取付片８４の外端から外へ延びるように耳片８４aが形成され、また底面取付片８４の両端縁に係合凹部８９が形成されている。
【００９７】
図１６（ａ）および図１６（ｂ）は、筒体１００を形成するための板紙を説明する図である。
【００９８】
筒体１００は、図１６（ａ）に示す板紙９６を折り曲げて形成したものである。
【００９９】
板紙９６は長方形状を有している。板紙９６には、その短辺に平行な４本の第１の折れ線１０１が形成され、その長辺に平行な第２の折れ線１０２および第３の折れ線１０３が長辺側の側縁に沿って、第２の折れ線１０２が第３の折れ線１０３の内側に位置するように形成されている。さらに、４本の第１の折れ線１０１と第２の折れ線１０２との交点から第３の折れ線１０３を超えて板紙９６の長辺側の側縁に至るように切込み９７が形成されている。
【０１００】
板紙９６により筒体１００を形成したとき、この切込み９７と、第２の折れ線１０２と、第３の折れ線１０３とで囲まれた板紙９６の領域が、それぞれ側面取付片８２、上面取付片８３、および底面取付片８４となる。板紙９６により筒体１００を形成したとき、切込み９７と、第３の折れ線１０３と、板紙９６の長辺側の側縁とにより囲まれた板紙９６の領域は、それぞれ側面取付片８２の耳片８２a、上面取付片８３の耳片８２a、および底面取付片８４の耳片８２aとなる。
【０１０１】
切込み９７は、図１６（ｂ）に示すように、２つの直線部９７aと、この２つの直線部９７aの間の屈折部９７ｂとを有している。板紙９６により筒体１００を形成したとき、板紙９６の切込み９７が形成された部分により、側面取付片８２の係合突出部８７、上面取付片８３の係合凹部８８および底面取付片８４の係合凹部８９がそれぞれ形成される。
【０１０２】
さらに、板紙９６には、第３の折れ線１０３に沿って切込み９７と直交する切込み９８が形成されている。板紙９６により筒体１００を形成したとき、切込み９８によって側面取付片８２のスリット８６が形成される。このスリット８６は板紙９６の厚み相当分の幅を有する。
【０１０３】
壁体１０７は、図１７に示すように、矩形状の中央板材９１と、中央板材９１の周囲の４辺から外へ延びるように形成された４つのフラップ９２とを有する。これらの４つのフラップ９２は、中央板材９１に対してそれぞれ折り曲げ可能に形成されている。中央板材９１の中央部には排気口が形成され、この排気口にフィルター９９が取り付けられている。
【０１０４】
各フラップ９２の両端部には切欠部９３が形成されている。４つのフラップ９２を中央板材９１の平面に対して直角方向に折り返してフラップ９２の端部同士を接合することにより、接合する一対の端部の両切欠部９３、９３によって係合孔９４が形成される（図１８−図２１）。
【０１０５】
なお、筒体１００を構成する板紙９６および平板状態の壁体１０７は、腰のある薄い紙材の打ち抜き加工により形成されるものである。
【０１０６】
以下、筒体１００を板紙９６から組み立て壁体１０７を筒体１００へ取り付けることにより遮蔽枠１０６を形成する方法を説明する。
【０１０７】
例えば、板紙９６は、これを複数枚重ね合わせた状態で電子線照射により殺菌された後、無菌状態の飼育室内に持ち込まれる。また、壁体１０７も、板状状態で複数枚重ね合わせて電子線照射により殺菌された後、無菌状態の飼育室内に持ち込まれる。
【０１０８】
まず、作業者は、板紙９６の各第１の折れ線１０１を折り目として内側へ折り曲げて四角形状の枠を作り、枠の端部同士を接着テープなどで接合することにより、図１５（ａ）に示した筒体１００を完成する。
【０１０９】
次に、作業者は、平板状態の壁体１０７の４つのフラップ９２を中央板材９１の平面に対して直角方向に折り返してフラップ９２の端部同士を接合することにより立体的な壁体１０７を形成する。
【０１１０】
続いて、作業者は、図１８および図１９に示すように、４つのフラップ９２をそれぞれ中央板材９１に対して直角に折り曲げた状態の立体的な壁体１０７を筒体１００の奥側の端部内に挿入する。
【０１１１】
次に、作業者は、図１９中の矢印で示すように、側面取付片８２を筒体１００の内側へ折り返して壁体１０７のフラップ９２の上に重ねると共に、側面取付片８２の係合突出部８７を壁体１０７の係合孔９４に係合させる（図２０）。
【０１１２】
次に、作業者は、図２０中の矢印で示すように、底面取付片８４を筒体１００の内側へ折り返して、底面取付片８４の係合凹部８８を側面取付片８２の係合突出部８７に係合させると共に、底面取付片８４の耳片８４aの端部を側面取付片８２のスリット８６内に挿入する（図２１）。
【０１１３】
作業者は、同様に、上面取付片８３を筒体１００の内方向へ折り返して、上面取付片８３の係合凹部８８を側面取付片８２の係合突出部８７に係合させると共に、上面取付片８３の耳片８３aの端部を側面取付片８２のスリット８６内に挿入する。
【０１１４】
ここで、作業者は、側面取付片８２、底面取付片８４および上面取付片８３を筒体１００の内側へ折り返す際には、図１４（ｂ）に示すように、壁体１０７のフラップ９２の先端を筒体１００の後端に一致させておく。つまり、作業者は、図１８で示す壁体１０７を、フラップ９２の先端が図１９および図２０に示すように筒体１００の後端に一致するように筒体１００の後側へ移動させる。
【０１１５】
さらに作業者は、底面取付片８４の耳片８４aの両端部を側面取付片８２のスリット８６内に挿入する。これにより、側面取付片８２の耳片８２aは、底面取付片８４および上面取付片８３のそれぞれの耳片８４a、８３aと壁体１０７の中央板材９１との間で挟まれることになる。
【０１１６】
このように筒体１００と壁体１０７との組み合わせにより遮蔽枠１０６を作製することにより、実施形態４と同様に、遮蔽枠１０６を非常に簡単でしかも安価に作製することができる。
【０１１７】
しかも、図１４（ｂ）に示すように、壁体１０７の各フラップ９２が筒体１００の後ろ側の端部と、筒体１００の側面取付片８２、底面取付片８４および上面取付片８３によって挟まれているために、筒体１００と壁体１０７との接続の気密性が上がる。さらに、側面取付片８２、底面取付片８４および上面取付片８３を、壁体１０７の各フラップ９２を挟み込むように、筒体１００の側面部１３２、底面部１３６、および上面部１３０に対して折り返したときには、側面取付片８２、底面取付片８４および上面取付片８３には元に戻ろうとする復元力が働き、この復元力の作用により側面取付片８２と底面取付片８４および上面取付片８３とが強固に嵌合する。この結果、壁体１０７を取り付けた筒体１００、つまり遮蔽枠１０６が補強され、遮蔽枠１０６は変形しにくいものとなる。
【０１１８】
このような構成の本実施形態５の小動物飼育装置２００においても、実施形態１の小動物飼育装置１と同様に、遮蔽枠１０６により飼育ケージ２からの小動物の糞や床敷材の飛散を抑制することができ、飼育環境の汚染を抑えつつ、飼育ケージ２から飛散した小動物の糞や床敷材の消毒、清掃作業のための労力と費用を低減することができる。
【０１１９】
さらにこの実施形態５では、飼育ラック１０４が紙製の部材で構成され、飼育ラック１０４の棚板２１０上に載置される遮蔽枠１０６も紙製の部材で構成されているので、非常に危険な病原菌に感染した小動物の飼育に用いられた飼育ラック１０４や遮蔽枠１０６の処分を、焼却により簡単にかつ環境汚染などを回避しつつ行うことができる。
【０１２０】
この結果、実験の所期の目的を達成するための飼育ラックや飼育ケージなどの飼育器材が必要であるだけでなく、飼育器材の使用後の処分も必要である実験プロセスを視野に入れたトータルエコロジーを実現できる小動物飼育装置を得ることができる。
【０１２１】
なお、板紙９６の切断および加工は、公知の切断装置、加工装置などを使用して自動あるいは手動で行うことができる。また、壁体１０７を作製する場合でも、公知の切断装置、加工装置などを使用して自動で行えば、安価に作製することができる。
【０１２２】
また、上記実施形態５では、一枚の板紙９６から筒体１００を作製したが、２枚、あるいは３枚以上の板紙９６を接合することにより筒体１００を作製してもよいことはもちろんである。さらに、上記実施形態５では、４本の第１の折れ線１０１を形成したが、３本の第１の折れ線を形成し各第１の折れ線１０１の箇所から板紙９６を内側へ折り曲げて四角形状の枠を作ってもよい。
（実施形態６）
図２２に実施形態６を示す。
【０１２３】
上記実施形態５の小動物飼育装置２００では、遮蔽枠１０６内の空気の排気は、遮蔽枠１０６の奥側端部に密着させて配置した、通気孔（図示せず）を多数有する吸引パネル２５０により行っているが、この実施形態６では、吸引パネル２５０の代わりに、個々の遮蔽枠１０６に対応する排気口が接続された排気管１１０を用いている。
【０１２４】
図２２（ａ）は、遮蔽枠１０６を排気管１１０に接続するための構造を示す概略分解斜視図であり、図２２（ｂ）は遮蔽枠１０６と排気管１１０とを接続する構造を示す概略断面図を示している。
【０１２５】
遮蔽枠１０６の後端部には後部蓋１１２が図２２（ｂ）に示すように被せられており、遮蔽枠１０６の背面部を構成する壁体１０７と後部蓋１１２との間に空気溜り部１１３が形成されている。後部蓋１１２には排気口１１４が設けられ、排気口１１４と排気管１１０とが接続されたソケット１１５により連結されている。
【０１２６】
なお、実施形態６では、図２２（ｂ）に示すように、後部蓋１１２を遮蔽枠１０６の後端部に被せることにより空気溜り部１１３を形成しているが、後部蓋１１２を遮蔽枠１０６の後部内に挿入することにより空気溜り部を形成するようにしてもよい。
【０１２７】
また、後部蓋１１２に形成する排気口１１４およびこの排気口１１４に対応するソケット１１５はそれぞれ１つに限定されるものではなく、それぞれ複数設けてもよい。
（実施形態７）
図２３に実施形態７を示す。
【０１２８】
図２３（ａ）は遮蔽枠１１７の後ろ側からの斜視図を示し、図２３（ｂ）は遮蔽枠１１７の縦断面図を示している。
【０１２９】
遮蔽枠１１７は、実施形態１と同様に、ケージ２を収容可能なように箱型に構成され、両端の開口が四角形である筒体１１７ａと、筒体１１７ａの一端側（後面側）の開口１２１を塞ぐ壁体１１７ｂとを有する。
【０１３０】
筒体１１７ａは、ケージ２の上面を覆う矩形状の上面部１１８と、ケージ２の一対の側面を覆う一対の矩形状の側面部１１９、１１９と、ケージ２の底面の全面を覆うよう上面部１１８と同一の矩形形状とした底面部１２０と、を有する。
【０１３１】
筒体１１７ａおよび壁体１１７ｂは、それぞれ紙製の板材の切断および折り曲げにより形成することができる。
【０１３２】
筒体１１７ａの他端側（前面側）の開口１２２は、ケージ２を出し入れ自在とする取出し口となっている。筒体１１７ａの後面側の開口１２１を塞ぐ壁体１１７ｂは、開口１２１を開閉可能に筒体１１７ａに取り付けられている。壁体１１７ｂには排気口７ｂ１が形成され、排気口７ｂ１にフィルター７ｂ２が張り付けられている。
【０１３３】
筒体１１７ａの底面部１２０の後面側端部には、壁体１１７ｂの下端部に当接する当接部１２３が取り付けられている。これにより、壁体１１７ｂで筒体１１７ａの後側開口１２１を閉じたとき、壁体１１７ｂの下端部が当接部１２３に当接することで、壁体１１７ｂの回動を止めかつ筒体１１７ａと壁体１１７ｂとの間から空気の漏れを防ぐことができるようになっている。
【０１３４】
この実施形態７の遮蔽枠１１７は、実施形態４〜６のものに比べて、筒１１７ａと壁体１１７ｂとの接続構造を簡略化することができる。
【産業上の利用可能性】
【０１３５】
本発明は、小動物飼育装置および遮蔽枠の分野において、飼育ラック内に配置された飼育ケージを取り外し可能な遮蔽枠で覆うことで、飼育ケージからの小動物の糞や床敷材の飛散を抑制することができ、飼育環境の汚染を抑えつつ、飼育ケージから飛散した小動物の糞や床敷材の消毒、清掃作業のための労力と費用を低減することができる小動物飼育装置、および飼育ラック内の飼育ケージを覆う取り外し可能な遮蔽枠を提供できるものとして有用である。
【符号の説明】
【０１３６】
１、１ａ    小動物飼育装置
２、２００  飼育ケージ
４、４ａ、１０４    飼育ラック
６、６ａ、１０６    遮蔽枠
８、８ａ、１１４、７ｂ１    排気口
８ｂ  ソケット
９、９９    フィルター
１０  棚板
１２  給水装置（給水ボトル）
１５、１５ａ  取出し口
１６  流路
１８，１８ａ  風向板
２０  ケージ本体
２２  ケージ蓋
２４  収容空間
３０，３０ａ  上面部
３２，３２ａ  側面部
３４、３４ａ  背面部
３６、３６ａ  底面部
３８  流入孔
４０  枠体
４１  天板
４２  ケージ配置スペース
４６  排気ファン（排気装置）
４７，４７ａ  排気チャンバー
５０、５１、２５０  吸引パネル
５０ａ、５１ａ  内面板
５０ｂ、５１ｂ  外面板
５３  排気ダクト
５５、１１０  排気管
【図１】
2015211662.tif 000003
【図２】
2015211662.tif 000004
【図３】
2015211662.tif 000005
【図４】
2015211662.tif 000006
【図５】
2015211662.tif 000007
【図６】
2015211662.tif 000008
【図７】
2015211662.tif 000009
【図８】
2015211662.tif 000010
【図９】
2015211662.tif 000011
【図１０】
2015211662.tif 000012
【図１１】
2015211662.tif 000013
【図１２】
2015211662.tif 000014
【図１３】
2015211662.tif 000015
【図１４】
2015211662.tif 000016
【図１５】
2015211662.tif 000017
【図１６】
2015211662.tif 000018
【図１７】
2015211662.tif 000019
【図１８】
2015211662.tif 000020
【図１９】
2015211662.tif 000021
【図２０】
2015211662.tif 000022
【図２１】
2015211662.tif 000023
【図２２】
2015211662.tif 000024
【図２３】
2015211662.tif 000025